(57)【要約】【課題】掘り込み部に起因する反りを防止できるようにした断熱床パネルを提供する。【解決手段】積層構造の木質床材２の裏面に掘り込み部２ａを形成して、この掘り込み部２ａ内に断熱材３を収納する断熱床パネルにおいて、掘り込み部２ａを形成した後の掘り残し部２ｂの積層構造が上下方向に対称とすることにより、掘り込み部２ａを形成した段階で、掘り残し部２ｂの反りバランスが取れているので、断熱床パネル９Ａの反りが防止できるようになる。【選択図】図１
2008050835.tif 000002
【特許請求の範囲】
【請求項１】
積層構造の木質床材の裏面に掘り込み部を形成して、この掘り込み部内に断熱材を収納する断熱床パネルにおいて、
前記掘り込み部を形成した後の掘り残し部の積層構造が上下方向に対称であることを特徴とする断熱床パネル。
【請求項２】
積層構造の木質床材の裏面に掘り込み部を形成して、この掘り込み部内に断熱材を収納する断熱床パネルにおいて、
前記掘り込み部の底面に、湿気の程度に応じて伸縮する板材を、平衡含水率よりも含水率の高い状態で貼着していることを特徴とする断熱床パネル。
【請求項３】
前記掘り込み部の底面と板材との間に、防湿層を設けたことを特徴とする請求項２に記載の断熱床パネル。
【請求項４】
積層構造の木質床材の裏面に掘り込み部を形成して、この掘り込み部内に断熱材を収納する断熱床パネルにおいて、
前記断熱材または木質床材の裏面に、湿気の程度に応じて伸縮する板材を、平衡含水率よりも含水率の高い状態で貼着していることを特徴とする断熱床パネル。
【請求項５】
前記掘り残し部は、湿気の程度に応じて伸縮する板材である、少なくとも１枚の中密度ファイバーボードを有している積層構造であることを特徴とする請求項１〜４のいずれか一項に記載の断熱床パネル。
【請求項６】
前記掘り込み部の底面近傍に発熱体を配置して、断熱床暖房パネルとしたことを特徴とする請求項１〜５のいずれか一項に記載の断熱床パネル。
【発明の詳細な説明】
【技術分野】
【０００１】
本発明は、掘り込み部に起因する反りを防止できるようにした断熱床パネルに関する。
【背景技術】
【０００２】
図５（ａ）に示すように、断熱床パネル１は、縦長さＬ（例えば１８１８ｍｍ…６尺）と横幅Ｗ（例えば３０３ｍｍ…１尺）と厚みＴ（例えば１２ｍｍ）とが規格化されていて、図５（ｂ）に示すように、床下地の上面に隙間無く縦横に敷き詰めるようになっている（特許文献１参照）。
【０００３】
前記のような断熱床パネル１は、図５（ａ）のＩ−Ｉ線断面図である図６（ａ）に示すように、木質床材２の裏面に掘り込み部２ａを形成して、この掘り込み部２ａ内に断熱材だけを収納すれば「断熱床パネル」となり、面状発熱体（面状ヒータ、コード状ヒータ、温水パイプ等）と断熱材とを収納すれば、「断熱床暖房パネル」となる。
【０００４】
木質床材２は、一般的には、図６（ｂ）のように、例えば下から上に、合板レギュラー層２ｃ、合板クロス層２ｄ、合板レギュラー層２ｃ、合板クロス層２ｄ、合板レギュラー層２ｃ、中密度ファイバーボード（Medium Density Fiber board…以下、ＭＤＦと略称する。）２ｅ、湿式単板２ｆの順に重ね合わせて貼着した積層構造となっている。
【特許文献１】特開２００４−２４５５１８号公報
【発明の開示】
【発明が解決しようとする課題】
【０００５】
しかしながら、積層構造の木質床材２の裏面に掘り込み部２ａを形成した場合、図６（ａ）の矢印下方に誇張して図示したように、木質床材２、つまり断熱床パネル１に反りが発生しやすくなる。これは、最上層の湿式単板２ｆを貼着する際に、高温（約１１０℃）でプレスするために、湿式単板２ｆの水分とともにその下層である中密度ファイバーボード２ｅの水分が飛ばされて、掘り込む前の状態で収縮しようとする内部応力が残存しているからである〔図６（ｂ）の矢印ａ参照〕。
【０００６】
すなわち、掘り込み部２ａを掘り込む前は、中密度ファイバーボード２ｅの下層の合板レギュラー層２ｃと合板クロス層２ｄの曲げ剛性によって、中密度ファイバーボード２ｅが反らない状態に保たれているが、掘り込むことにより力のバランスが崩れることで、反りが発生するのである。この反りは、木質床材２の長さ方向にも幅方向にも発生する。
【０００７】
本発明は、前記問題を解消するためになされたもので、掘り込み部に起因する反りを防止できるようにした断熱床パネルを提供することを目的とするものである。
【課題を解決するための手段】
【０００８】
前記課題を解決するために、本発明の請求項１は、積層構造の木質床材の裏面に掘り込み部を形成して、この掘り込み部内に断熱材を収納する断熱床パネルにおいて、前記掘り込み部を形成した後の掘り残し部の積層構造が上下方向に対称であることを特徴とする断熱床パネルを提供するものである。
【０００９】
請求項２は、積層構造の木質床材の裏面に掘り込み部を形成して、この掘り込み部内に断熱材を収納する断熱床パネルにおいて、前記掘り込み部の底面に、湿気の程度に応じて伸縮する板材を、平衡含水率よりも含水率の高い状態で貼着していることを特徴とする断熱床パネルを提供するものである。
【００１０】
請求項３のように、請求項２において、前記掘り込み部の底面と板材との間に、防湿層を設けることができる。
【００１１】
請求項４は、積層構造の木質床材の裏面に掘り込み部を形成して、この掘り込み部内に断熱材を収納する断熱床パネルにおいて、前記断熱材または木質床材の裏面に、湿気の程度に応じて伸縮する板材を、平衡含水率よりも含水率の高い状態で貼着していることを特徴とする断熱床パネルを提供するものである。
【００１２】
請求項５のように、請求項１〜４において、前記掘り残し部は、湿気の程度に応じて伸縮する板材である、少なくとも１枚の中密度ファイバーボードを有している積層構造であるときに、特に有効である。
【００１３】
請求項６のように、請求項１〜５において、前記掘り込み部の底面近傍に発熱体を配置して、断熱床暖房パネルとすることができる。
【発明の効果】
【００１４】
請求項１によれば、木質床材に掘り込み部を形成した後の掘り残し部の積層構造を上下方向に対称としたから、掘り込み部を形成した段階で、掘り残し部の反りバランスが取れているので、断熱床パネルの反りが防止できるようになる。
【００１５】
請求項２によれば、木質床材に形成した掘り込み部の底面に、湿気の程度に応じて伸縮する板材を含水率の高い状態で貼着した後、平衡含水率に達するまで養生することによって、この貼着した板材の乾燥に伴う収縮力で、掘り残し部の反りが矯正されるので、断熱床パネルの反りが防止できるようになる。
【００１６】
また、板材と断熱材との間に発熱体を配置して断熱床暖房パネルとする場合には、発熱体を配置する前の仕掛かりの状態で、断熱床パネルの反りの良否が判定できるために、反りによる断熱床暖房パネルの不良発生ロスを少なくできるようになる。
【００１７】
請求項３によれば、湿気の程度に応じて伸縮する板材に含水された水分が、掘り込み部の底面から床材側に浸透することが防止できるので、掘り残し部の反り矯正の効果がより安定するようになる。
【００１８】
請求項４によれば、断熱材または木質床材の裏面に、湿気の程度に応じて伸縮する板材を含水率の高い状態で貼着した後、平衡含水率に達するまで養生することによって、この貼着した板材の乾燥に伴う収縮力で、掘り残し部の反りが矯正されるので、断熱床パネルの反りが防止できるようになる。
【００１９】
また、断熱材または木質床材の裏面に貼着した板材が裏面材を兼ねるから、裏面材が不要になるので、コストダウンが図れるようになる。
【００２０】
請求項５によれば、前記掘り残し部は、湿気の程度に応じて伸縮する板材である、少なくとも１枚の中密度ファイバーボード（ＭＤＦ）を有している積層構造であるときに、特に有効である。
【００２１】
請求項６によれば、発熱体を配置するだけで、断熱床パネルを断熱床暖房パネルとすることができる。
【発明を実施するための最良の形態】
【００２２】
以下、本発明を実施するための最良の形態について、図面を参照しながら詳細に説明する。なお、背景技術と同一構成・作用の箇所は、同一番号を付して詳細な説明を省略する。
【００２３】
図１は、第１実施形態の断熱床暖房パネル９Ａの断面図である。木質床材２は、下から上に、合板レギュラー層（１層目）２ｃ、合板クロス層（２層目）２ｄ、合板レギュラー層（３層目）２ｃ、湿式単板（４層目）２ｆ、ＭＤＦ（５層目）２ｅ、合板レギュラー層（６層目）２ｃ、合板クロス層（７層目）２ｄ、合板レギュラー層（８層目）２ｃ、ＭＤＦ（９層目）２ｅ、湿式単板（１０層目）２ｆの順に重ね合わせて貼着した積層構造となっている。
【００２４】
そして、木質床材２の裏面に形成する掘り込み部２ａは、最下層（１層目）の合板レギュラー層２ｃから上に３層目の合板レギュラー層２ｃまでとし、４層目の湿式単板２ｆから最上層（１０層目）の湿式単板２ｆまでは、掘り残し部２ｂとしている。
【００２５】
したがって、掘り残し部２ｂの積層構造は、上下方向に対称となっている。つまり、７層目の合板クロス層２ｄを上下方向の中心とすれば、６層目と８層目には、合板レギュラー層２ｃがそれぞれ積層され、５層目と９層目には、ＭＤＦ２ｅがそれぞれ積層され、４層目と１０層目には、湿式単板２ｆがそれぞれ積層されているからである。
【００２６】
掘り込み部２ａ内には、厚手の断熱材３を収納している。断熱材３としては、発泡ウレタン、発泡ポリスチレン、発泡ポリエチレン、グラスウール、真空断熱材等を用いることができる。
【００２７】
また、掘り込み部２ａの底面と断熱材３との間には面状発熱体４を配置している。さらに、木質床材２の裏面には、裏面材５を貼着して、掘り込み部２ａを閉塞することで断熱空間を形成している。裏面材５としては、紙、木材、アルミシート等を用いることができる。
【００２８】
第１実施形態の断熱床暖房パネル９Ａであれば、木質床材２に掘り込み部２ａを形成した後の掘り残し部２ｂの積層構造を上下方向に対称としたから、掘り込み部２ａを形成した段階で、掘り残し部２ｂの反りバランスが取れているので、断熱床暖房パネル９Ａの反りが防止できるようになる。
【００２９】
つまり、５層目と９層目のＭＤＦ２ｅに、収縮しようとする内部応力（矢印ａ参照）が発生した場合、５層目のＭＤＦ２ｅが下向きに反ると同時に、９層目のＭＤＦ２ｅが上向きに反るように設定しておけば、５層目と９層目のＭＤＦ２ｅの相反する方向の反りがバランスして、結果的に木質床材２が反らないようになるので、断熱床暖房パネル９Ａの反りが防止できるのである。
【００３０】
図２は、第２実施形態の断熱床暖房パネル９Ｂの断面図である。木質床材２は、下から上に、合板レギュラー層（１層目）２ｃ、合板クロス層（２層目）２ｄ、合板レギュラー層（３層目）２ｃ、合板クロス層（４層目）２ｄ、合板レギュラー層（５層目）２ｃ、ＭＤＦ（６層目）２ｅ、湿式単板（７層目）２ｆの順に重ね合わせて貼着した積層構造となっている。
【００３１】
そして、木質床材２の裏面に形成する掘り込み部２ａは、最下層（１層目）の合板レギュラー層２ｃから上に４層目の合板クロス層２ｄの厚みの下半分までとし、４層目の合板クロス層２ｄの厚みの上半分から最上層（７層目）の湿式単板２ｆまでは、掘り残し部２ｂとしている。
【００３２】
掘り込み部２ａの底面には、湿気の程度に応じて伸縮する板材７を、平衡含水率よりも含水率の高い状態で貼着する。この湿気の程度に応じて伸縮する板材７としては、ＭＤＦ、合板、湿式単板、紙等を用いることができる。板材７の含水率の上げ方（湿らし方）としては、水ロールコータにくぐらせる、散水スプレー、蒸気スプレー、加湿チャンバーでの養生、霧吹き等を用いることができる。
【００３３】
また、掘り込み部２ａ内には、厚手の断熱材３を収納して、湿気の程度に応じて伸縮する板材７と断熱材３との間には面状発熱体４を配置している。さらに、木質床材２の裏面には、裏面材５を貼着して、掘り込み部２ａを閉塞することで断熱空間を形成している。
【００３４】
第２実施形態の断熱床暖房パネル９Ｂであれば、木質床材２に形成した掘り込み部２ａの底面に、湿気の程度に応じて伸縮する板材７を含水率の高い状態で貼着した後、平衡含水率に達するまで養生することによって、この貼着した板材７の乾燥に伴う収縮力ａで、掘り残し部２ｂの反りが矯正されるので、断熱床暖房パネル９Ｂの反りが防止できるようになる。
【００３５】
また、板材７と断熱材３との間に発熱体４を配置して断熱床暖房パネル９Ｂとする場合には、発熱体４を配置する前の仕掛かりの状態で、断熱床暖房パネル９Ｂの反りの良否が判定できるために、反りによる断熱床暖房パネル９Ｂの不良発生ロスを少なくできるようになる。
【００３６】
図３は、第３実施形態の断熱床暖房パネル９Ｃの断面図である。木質床材２の積層構造等は、第２実施形態と同じである。第２実施形態と相違するのは、掘り込み部２ａの底面と板材７との間に、防湿層６を設けた点である。防湿層６としては、アルミシート、樹脂シート等を用いることができる。
【００３７】
第３実施形態の断熱床暖房パネル９Ｃであれば、第２実施形態の効果に加えて、湿気の程度に応じて伸縮する板材７に含水された水分が、防湿層６によって、掘り込み部２ａの底面から床材〔合板クロス層（４層目）２ｄ等〕側に浸透することが防止できるので、掘り残し部２ｂの反り矯正の効果がより安定するようになる。
【００３８】
図４は、第４実施形態の断熱床暖房パネル９Ｄの断面図である。木質床材２の積層構造等は、第２実施形態と同じである。第２実施形態と相違するのは、掘り込み部２ａの底面と断熱材３との間には面状発熱体４を配置するとともに、断熱材３の裏面には、湿気の程度に応じて伸縮する板材７を、平衡含水率よりも含水率の高い状態で貼着している点である。なお、板材７は、木質床材２の裏面に貼着することもできる。
【００３９】
第４実施形態の断熱床暖房パネル９Ｄであれば、断熱材３または木質床材２の裏面に、湿気の程度に応じて伸縮する板材７を含水率の高い状態で貼着した後、平衡含水率に達するまで養生することによって、この貼着した板材７の乾燥に伴う収縮力ａで、掘り残し部２ｂの反りが矯正されるので、断熱床暖房パネル９Ｄの反りが防止できるようになる。
【００４０】
また、断熱材３または木質床材２の裏面に貼着した板材７が裏面材５を兼ねるから、裏面材５が不要になるので、コストダウンが図れるようになる。
【００４１】
前記各実施形態は、掘り込み部２ａの底面と断熱材３との間、または板材７と断熱材３との間に、発熱体４を配置した断熱床暖房パネルであったが、発熱体４を配置しなければ、断熱床暖房パネルを断熱床パネルとすることができる。
【図面の簡単な説明】
【００４２】
【図１】本発明の第１実施形態の断熱床パネルの断面図である。
【図２】本発明の第２実施形態の断熱床パネルの断面図である。
【図３】本発明の第３実施形態の断熱床パネルの断面図である。
【図４】本発明の第４実施形態の断熱床パネルの断面図である。
【図５】従来の断熱床暖房パネルであり、（ａ）は斜視図、（ｂ）は敷き詰めた状態の斜視図である。
【図６】（ａ）は従来の断熱床暖房パネルの図５（ａ）のＩ−Ｉ線断面図、（ｂ）は木質床材の積層構造を示す断面図である。
【符号の説明】
【００４３】
２    木質床材
２ａ  掘り込み部
２ｂ  掘り残し部
２ｃ  合板レギュラー層
２ｄ  合板クロス層
２ｅ  中密度ファイバーボード（ＭＤＦ）
２ｆ  湿式単板
３    断熱材
４    発熱体
５    裏面材
６    防湿層
７    湿気の程度に応じて伸縮する板材
９Ａ〜９Ｄ  断熱床暖房パネル（断熱床パネル）
【図１】
2008050835.tif 000003
【図２】
2008050835.tif 000004
【図３】
2008050835.tif 000005
【図４】
2008050835.tif 000006
【図５】
2008050835.tif 000007
【図６】
2008050835.tif 000008